(57)【要約】【課題】利用者端末側の電源環境に関わらず、データの送受信を適切に行う。【解決手段】通信装置１０では、サービス事業者サーバ３０との間で行われるデータの送受信を制御する通信処理部１１と、利用者端末２０との間で行われるデータの送受信を制御する外部Ｉ／Ｆ１２と、自装置に電力を供給するバッテリ１３と、受信したデータを記憶するストレージ１４と、利用者端末２０からサービス事業者サーバ３０を送信先とする送信データまたはサービス事業者サーバ３０から利用者端末２０を送信先とする送信データを受信した際に、ストレージ１４に送信データを格納するように制御する制御部１５とを有する。【選択図】図３
2019128847.tif 000002
【特許請求の範囲】
【請求項１】
サーバとの間で行われるデータの送受信を制御する第一の通信部と、
端末との間で行われるデータの送受信を制御する第二の通信部と、
自装置に電力を供給するバッテリと、
受信したデータを記憶するストレージと、
前記端末から前記サーバを送信先とする送信データまたは前記サーバから前記端末を送信先とする送信データを受信した際に、前記ストレージに前記送信データを格納するように制御する制御部と
を有することを特徴とする通信装置。
【請求項２】
前記制御部は、前記端末から前記サーバを送信先とする送信データを受信した際に、所定の条件を満たしているか判定し、前記所定の条件を満たしている場合には、前記サーバへ送信するように制御し、前記所定の条件を満たしていない場合には、前記ストレージに前記送信データを格納するように制御することを特徴とする請求項１に記載の通信装置。
【請求項３】
前記制御部は、前記ストレージに前記送信データを格納した後、前記所定の条件を満たした場合には、前記ストレージから前記送信データを読み出して前記サーバへ送信するように制御することを特徴とする請求項２に記載の通信装置。
【請求項４】
前記制御部は、前記端末から前記サーバを送信先とする送信データを受信した際に、現時刻が所定の時間帯であるか判定し、現時刻が所定の時間帯である場合には、前記サーバへ送信するように制御し、前記現時刻が前記所定の時間帯でない場合には、前記ストレージに前記送信データを格納するように制御することを特徴とする請求項２に記載の通信装置。
【請求項５】
前記制御部は、前記サーバから前記端末を送信先とする送信データを受信した際に、前記ストレージに前記送信データを格納するように制御し、前記端末からの要求に応じて、前記ストレージに格納された送信データを読み出して前記端末へ送信するように制御することを特徴とする請求項１に記載の通信装置。
【請求項６】
前記所定の条件を満たした場合に、自装置を起動させ、前記サーバとの通信を行っている期間、前記バッテリに自装置へ電力を供給させる電源管理部をさらに備えることを特徴とする請求項２に記載の通信装置。
【請求項７】
通信装置と、該通信装置とデータの送受信を行うサーバとを有する通信システムであって、
前記通信装置は、
前記サーバとの間で行われるデータの送受信を制御する第一の通信部と、
端末との間で行われるデータの送受信を制御する第二の通信部と、
自装置に電力を供給するバッテリと、
受信したデータを記憶するストレージと、
前記端末から前記サーバを送信先とする送信データまたは前記サーバから前記端末を送信先とする送信データを受信した際に、前記ストレージに前記送信データを格納するように制御する制御部と
を有することを特徴とする通信システム。
【請求項８】
通信装置が実行する通信方法であって、
前記通信装置は、
サーバとの間で行われるデータの送受信を制御する第一の通信部と、
端末との間で行われるデータの送受信を制御する第二の通信部と、
自装置に電力を供給するバッテリと、
受信したデータを記憶するストレージと、
を有し、
前記通信装置が、前記端末から前記サーバを送信先とする送信データまたは前記サーバから前記端末を送信先とする送信データを受信した際に、前記ストレージに前記送信データを格納する工程と、
前記通信装置が、所定の条件を満たしていると判定した場合には、前記ストレージに格納された送信データを読み出して前記サーバへ送信するように制御する工程と、
前記通信装置が、前記端末からの要求に応じて、前記ストレージに格納された送信データを読み出して前記端末へ送信するように制御する制御工程と
を含んだことを特徴とする通信方法。
【発明の詳細な説明】
【技術分野】
【０００１】
本発明は、通信装置、通信システムおよび通信方法に関する。
【背景技術】
【０００２】
従来より、サーバクライアント型の通信におけるデータの送受信は、利用者端末側の電源がＯＮの状態でハードとアプリケーションが稼働している状況において成立する。これは、モバイル回線を用いたデータ送受信においても同様である。
【先行技術文献】
【特許文献】
【０００３】
【特許文献１】特開２０１１−２４４３２５号公報
【発明の概要】
【発明が解決しようとする課題】
【０００４】
従来のデータの送受信では、利用者端末側の電源環境が原因で、データの送受信が適切に行うことが出来ない場合があるという課題があった。例えば、従来のデータ送受信は、利用者端末の電源がＯＮの状態でハードとアプリケーションが稼働している状況において成立するため、モバイル回線の先にある利用者端末の電源がＯＦＦのときはデータの送受信ができないこととなる。
【０００５】
また、例えば、夜間や休日等の通信利用が少ない時間帯などにデータの送受信を実行する場合においても、利用者端末の電源のＯＮ状態とハードとアプリケーションの稼働が必要となり、利用者端末の電源がＯＦＦのときはこの時間帯のデータの送受信ができない。
【課題を解決するための手段】
【０００６】
上述した課題を解決し、目的を達成するために、本発明の通信装置は、サーバとの間で行われるデータの送受信を制御する第一の通信部と、端末との間で行われるデータの送受信を制御する第二の通信部と、自装置に電力を供給するバッテリと、受信したデータを記憶するストレージと、前記端末から前記サーバを送信先とする送信データまたは前記サーバから前記端末を送信先とする送信データを受信した際に、前記ストレージに前記送信データを格納するように制御する制御部とを有することを特徴とする。
【０００７】
また、本発明の通信システムは、通信装置と、該通信装置とデータの送受信を行うサーバとを有する通信システムであって、前記通信装置は、前記サーバとの間で行われるデータの送受信を制御する第一の通信部と、端末との間で行われるデータの送受信を制御する第二の通信部と、自装置に電力を供給するバッテリと、受信したデータを記憶するストレージと、前記端末から前記サーバを送信先とする送信データまたは前記サーバから前記端末を送信先とする送信データを受信した際に、前記ストレージに前記送信データを格納するように制御する制御部とを有することを特徴とする。
【０００８】
また、本発明の通信方法は、通信装置が実行する通信方法であって、前記通信装置は、サーバとの間で行われるデータの送受信を制御する第一の通信部と、端末との間で行われるデータの送受信を制御する第二の通信部と、自装置に電力を供給するバッテリと、受信したデータを記憶するストレージと、を有し、前記通信装置が、前記端末から前記サーバを送信先とする送信データまたは前記サーバから前記端末を送信先とする送信データを受信した際に、前記ストレージに前記送信データを格納する工程と、前記通信装置が、所定の条件を満たしていると判定した場合には、前記ストレージに格納された送信データを読み出して前記サーバへ送信するように制御する工程と、前記通信装置が、前記端末からの要求に応じて、前記ストレージに格納された送信データを読み出して前記端末へ送信するように制御する制御工程とを含んだことを特徴とする。
【発明の効果】
【０００９】
本発明によれば、利用者端末側の電源環境に関わらず、データの送受信を適切に行うことができるという効果を奏する。
【図面の簡単な説明】
【００１０】
【図１】図１は、第１の実施形態に係る通信システムの構成例を示すブロック図である。
【図２】図２は、第１の実施形態に係る通信システムにおける他の構成例を示すブロック図である。
【図３】図３は、第１の実施形態に係る通信装置の構成例を示すブロック図である。
【図４】図４は、第１の実施形態に係る通信システムの昼間の時間帯における通信処理を説明する図である。
【図５】図５は、第１の実施形態に係る通信システムの夜間の時間帯における通信処理を説明する図である。
【図６】図６は、第１の実施形態に係る通信装置における通信処理の流れの一例を示すフローチャートである。
【図７】図７は、第１の実施形態に係る通信装置の他の構成例を示すブロック図である。
【発明を実施するための形態】
【００１１】
以下に、本願に係る通信装置、通信システムおよび通信方法の実施の形態を図面に基づいて詳細に説明する。なお、この実施の形態により本願に係る通信装置、通信システムおよび通信方法が限定されるものではない。
【００１２】
［第１の実施形態］
以下の実施の形態では、第１の実施形態に係る通信システム１００の構成、通信装置１０の構成、通信装置１０における処理の流れを順に説明し、最後に第１の実施形態による効果を説明する。
【００１３】
［通信システムの構成］
図１は、第１の実施形態に係る通信システムの構成例を示すブロック図である。第１の実施形態に係る通信システム１００は、通信装置１０、利用者端末２０およびサービス事業者サーバ３０を有する。通信装置１０と利用者端末２０とは、外部Ｉ／Ｆ（Interface）１２を介して接続されており、通信装置１０とサービス事業者サーバ３０とは、モバイルＮＷ（Network）４０およびインターネット５０とを介して接続されている。また、サービス事業者サーバ３０がインターネット５０に接続されている場合に限定されるものではなく、例えば、サービス事業者サーバ３０がＶＰＮ（Virtual  Private  Network）等の閉域網に存在していてもよい。なお、図１に示す構成は一例にすぎず、具体的な構成や各装置の数は特に限定されない。
【００１４】
通信装置１０は、例えば、ＵＳＢ（Universal  Serial  Bus）接続タイプ、Ｍ２ＭルータタイプまたはＷｉｆｉ（登録商標）ルータタイプの通信機器であり、利用者端末２０とサービス事業者サーバ３０との間で行われる通信を中継する。また、通信装置１０は、バッテリ１３およびストレージ１４を有する。通信装置１０は、バッテリを搭載することで、単独で稼働可能である。
【００１５】
また、通信装置１０のストレージ１４は、モバイルＮＷ４０側および外部Ｉ／Ｆ１２の先の機器とのデータ送受信が可能である。また、通信装置１０は、ＯＳもしくはアプリケーションを実装し、送受信されたデータの処理を行うことも可能である。このような構成により、通信装置１０は、接続する利用者端末２０の電源の状態に依存することなく、設定された時間帯にデータの送受信を行うことが出来る。なお、通信装置１０の詳しい構成については、後に図３を用いて説明する。
【００１６】
利用者端末２０は、例えば、タブレット型ＰＣ（Personal  Computer）、ノート型ＰＣ、デスクトップ型ＰＣ、携帯電話機、スマートフォン、ＰＤＡ（Personal  Digital  Assistant）等の情報処理装置である。利用者端末２０は、例えば、通信装置１０と接続することで、通信装置１０のストレージ１４に記憶されたデータを読み出したり、サービス事業者サーバ３０への送信データの送信を通信装置１０に要求したりする。
【００１７】
サービス事業者サーバ３０は、サービス事業者の自社サービスアプリケーションや提供データを利用者端末２０に配信するサーバである。サービス事業者サーバ３０は、インターネット５０およびモバイルＮＷ４０を介して、通信装置１０または通信装置１０に接続された利用者端末２０との間でデータの送受信を行う。
【００１８】
ここで、別の構成例として、図２を用いて、通信システム１００Ａが、複数の通信装置１０Ａ、１０Ｂを有し、通信装置１０ＡがＵＳＢ接続タイプである場合と、通信装置１０ＢがＷｉｆｉルータタイプである場合を説明する。図２は、第１の実施形態に係る通信システムにおける他の構成例を示すブロック図である。図２に例示するように、通信システム１００Ａは、通信装置１０Ａが、例えばＵＳＢメモリ等の場合には、外部Ｉ／Ｆ１２を介して利用者端末２０Ａと直接接続される。また、通信装置１０Ｂが、例えば、Ｗｉｆｉルータ等の場合には、Ｅｔｈｅｒネットの通信規格等によりＬＡＮ６０を介して、一つまたは複数の利用者端末２０Ｂと接続される。以下の説明では、図２の通信システム１００Ａの例を挙げて適宜説明する。
【００１９】
［通信装置の構成］
次に、図３を用いて、通信装置１０の構成を説明する。図３は、第１の実施形態に係る通信装置の構成例を示すブロック図である。図３に示すように、この通信装置１０は、通信処理部１１、外部Ｉ／Ｆ１２、バッテリ１３、ストレージ１４および制御部１５を有する。以下に通信装置１０が有する各部の処理を説明する。
【００２０】
通信処理部１１は、ＳＩＭ（Subscriber  Identification  Module）等を用いた送受信機である。例えば、通信処理部１１は、サービス事業者サーバ３０との間で行われるデータの送受信を制御する。
【００２１】
外部Ｉ／Ｆ１２は、ＵＳＢやＥｔｈｅｒ等の通信規格の物理インターフェースである。外部Ｉ／Ｆ１２は、利用者端末との間で行われるデータの送受信を制御する。
【００２２】
バッテリ１３は、自装置に電力を供給する。また、バッテリ１３は、外部Ｉ／Ｆ１２より給電され充電可能なバッテリである。例えば、通信装置１０がＵＳＢメモリである場合には、ＰＣ等の利用者端末２０に接続されている際に、バッテリ１３が充電される。
【００２３】
また、例えば、通信装置１０が商用電源から電力の供給を得ている場合に、バッテリ１３は、商用電源がＯＦＦの間は電力を供給し続ける。また、通信装置１０が電源管理部（図示略）を有し、所定の条件を満たした場合に、商用電源がＯＦＦであっても、電源管理部が、通信装置１０を起動させ、サービス事業者サーバ３０との通信を行っている期間、バッテリ１３に通信装置１０へ電力を供給させるようにしてもよい。
【００２４】
ストレージ１４は、利用者端末２０またはサービス事業者サーバ３０から受信したデータを記憶する。ストレージ１４は、例えば、スピンドルやメモリカード等のストレージタイプが限定されるものではない。ストレージ１４は、送受信されたデータを蓄積もしくは削除することが可能である。
【００２５】
制御部１５は、例えば、ＣＰＵ（Central  Processing  Unit）やＭＰＵ（Micro  Processing  Unit）などの電子回路やＡＳＩＣ（Application  Specific  Integrated  Circuit）やＦＰＧＡ（Field  Programmable  Gate  Array）などの集積回路である。
【００２６】
制御部１５は、利用者端末２０からサービス事業者サーバ３０を送信先とする送信データまたはサービス事業者サーバ３０から利用者端末２０を送信先とする送信データを受信した際に、ストレージ１４に送信データを格納するように制御する。また、制御部１５は、利用者端末２０からサービス事業者サーバ３０を送信先とする送信データを受信した際に、所定の条件を満たしているか判定し、所定の条件を満たしている場合には、サービス事業者サーバ３０へ送信するように制御し、所定の条件を満たしていない場合には、ストレージ１４に送信データを格納するように制御する。また、制御部１５は、ストレージ１４に送信データを格納した後、所定の条件を満たした場合には、ストレージ１４から送信データを読み出してサービス事業者サーバ３０へ送信するように制御する。
【００２７】
具体的には、制御部１５は、利用者端末２０からサービス事業者サーバ３０を送信先とする送信データを受信した際に、現時刻が所定の時間帯であるか判定し、現時刻が所定の時間帯である場合には、サービス事業者サーバ３０へ送信するように制御し、現時刻が所定の時間帯でない場合には、ストレージ１４に送信データを格納するように制御する。また、制御部１５は、ストレージ１４に送信データを格納した後、現時刻が所定の時間帯になった場合には、ストレージ１４から送信データを読み出してサービス事業者サーバ３０へ送信するように制御する。
【００２８】
例えば、利用者端末２０が、モバイルＮＷ４０において、トラフィックの少ない夜間の時間帯「２２：００−４：００」は通信速度が速く、それ以外の時間帯（以下、「昼間の時間帯」と記載）は通信速度が遅いような場合に、通信装置１０は、昼間の時間帯にはデータをサービス事業者サーバ３０に送信せずにストレージ１４に格納し、夜間の時間帯にデータの送受信を行うように設定することが出来る。
【００２９】
また、制御部１５は、サービス事業者サーバ３０から利用者端末２０を送信先とする送信データを受信した際に、ストレージ１４に送信データを格納するように制御し、利用者端末２０からの要求に応じて、ストレージ１４に格納された送信データを読み出して利用者端末２０へ送信するように制御する。例えば、通信装置１０は、夜間の時間帯にサービス事業者サーバ３０から受信したデータをストレージ１４に格納しておき、ユーザからの要求に応じて格納した情報を読み出せるようにすることができる。
【００３０】
以下に、図４および図５を用いて、通信システム１００の昼間および夜間の時間帯における通信処理を説明する。図４は、第１の実施形態に係る通信システムの昼間の時間帯における通信処理を説明する図である。図５は、第１の実施形態に係る通信システムの夜間の時間帯における通信処理を説明する図である。
【００３１】
図４に例示するように、例えば、通信装置１０Ａ、１０Ｂは、昼間の時間帯において、利用者端末２０Ａ、２０Ｂと接続されている状態で、サービス事業者サーバ３０への送信データを利用者端末２０Ａ、２０Ｂから受信した場合に、サービス事業者サーバ３０へ送信せずに、ストレージ１４に格納する。なお、通信装置１０Ａ、１０Ｂは、利用者端末２０Ａ、２０Ｂからサービス事業者サーバ３０を送信先とする送信データを受信した際に、現時刻が夜間帯２２：００−４：００に含まれる場合には、サービス事業者サーバ３０へそのまま送信する。
【００３２】
また、通信装置１０Ａ、１０Ｂは、夜間の時間帯にサービス事業者サーバから受信したデータをストレージ１４に格納することで、利用者端末２０Ａ、２０Ｂは、任意のタイミングで、ストレージ１４に格納されたデータを読み出すことができる。例えば、ユーザは、夜間は利用者端末２０Ａの電源をＯＦＦにして通信装置１０Ａのストレージ１４にサービス事業者サーバ３０から送信されたデータを蓄積させておき、朝の電車の移動時間等に通信装置１０Ａのストレージ１４からＵＳＢ経由でデータを利用者端末２０Ａから読み出すことが可能である。
【００３３】
また、図５に例示するように、例えば、通信装置１０Ａ、１０Ｂは、夜間の時間帯において、利用者端末２０Ａ、２０Ｂと接続されていない状態で、サービス事業者サーバ３０からの送信データを受信した場合に、ストレージ１４に格納する。
【００３４】
また、通信装置１０Ａ、１０Ｂは、昼間の時間帯において、利用者端末２０Ａ、２０Ｂからサービス事業者サーバ３０への送信データをストレージ１４に格納している場合には、夜間の時間帯になったタイミングで、送信データをサービス事業者サーバ３０へ送信する。
【００３５】
このように、通信装置１０が、トラフィックの少ない時間帯を選択して通信することにより、例えば、キャリア側にとっては通信時間帯を限定することで料金を割安で設定した新たなサービスを提供することができ、ユーザ側にとってはより安くニーズにマッチした通信サービスを享受できることが可能となる。
【００３６】
［通信装置の処理手順］
次に、図６を用いて、第１の実施形態に係る通信装置１０における通信処理の手順の例を説明する。図６は、第１の実施形態に係る通信装置における通信処理の流れの一例を示すフローチャートである。
【００３７】
図６に示すように、通信装置１０の外部Ｉ／Ｆ１２が利用者端末２０からサービス事業者サーバ３０への送信データを受信すると（ステップＳ１０１肯定）、制御部１５は、現時刻が所定の時間帯であるか否かを判定する（ステップＳ１０２）。例えば、制御部１５は、現時刻が夜間帯であるか否かを判定する。
【００３８】
そして、制御部１５が現時刻が所定の時間帯であると判定された場合には（ステップＳ１０２肯定）、通信処理部１１は、送信データを宛先に送信する（ステップＳ１０６）。また、制御部１５は、現時刻が所定の時間帯でないと判定された場合には（ステップＳ１０２否定）、ストレージ１４に送信データを格納する（ステップＳ１０３）。
【００３９】
その後、制御部１５は、現時刻が所定の時間帯になったか否かを判定する（ステップＳ１０４）。そして、制御部１５は、現時刻が所定の時間帯になっていないと判定した場合には（ステップＳ１０４否定）、現時刻が所定の時間帯になるまで、ステップＳ１０４の処理を繰り返す。
【００４０】
また、制御部１５は、現時刻が所定の時間帯になったと判定した場合には（ステップＳ１０４肯定）、ストレージ１４から送信データを読出し（ステップＳ１０５）、送信データを宛先に送信する（ステップＳ１０６）。例えば、制御部１５は、昼間帯の時間に受信した送信データをストレージ１４に格納し、夜間帯になると、ストレージ１４から送信データを読み出して、宛先に送信する。このため、通信装置１０では、ストレージ１４に送信データを格納した後、トラフィックが少ない時間帯等の適切なタイミングで、サービス事業者サーバ３０へデータを送信することが可能である。
【００４１】
なお、上記の説明では、通信装置１０の制御部１５が、所定の条件として、現時刻が所定の時間帯であるかどうかを判定し、データをストレージ１４に蓄積するか送信するかを判断する場合を説明したが、これに限定されるものではない。
【００４２】
例えば、制御部１５は、曜日に応じて、データをストレージ１４に蓄積するか送信するかを判断するようにしてもよい。例えば、制御部１５は、利用者端末２０からサービス事業者サーバ３０を送信先とする送信データを受信した際に、現在の曜日がトラフィックの少ない特定の曜日（例えば、土曜日、日曜日）であるか否かを判定し、特定の曜日である場合には、宛先にデータを送信し、特定の曜日でない場合には、サービス事業者サーバ３０へ送信せずに、ストレージ１４に格納するようにしてもよい。これにより、通信装置１０は、トラフィックが少ない曜日だけデータを送信することが可能である。
【００４３】
また、制御部１５は、送信するデータのデータ量に応じて、データをストレージ１４に蓄積するか送信するかを判断するようにしてもよい。例えば、制御部１５は、利用者端末２０からサービス事業者サーバ３０を送信先とする送信データを受信した際に、送信データのデータ量が所定の閾値以上である場合には、宛先にデータを送信し、送信データのデータ量が所定の閾値未満である場合には、サービス事業者サーバ３０へ送信せずに、ストレージ１４に格納するようにしてもよい。これにより、通信装置１０は、例えば、データ量が大きいデータのみをストレージ１４に格納して、トラフィックが少ない時間帯等の適切なタイミングでデータ量が大きいデータを送信することが可能である。
【００４４】
また、制御部１５は、受信したデータが特定のデータであるか否かに応じて、データをストレージ１４に蓄積するか送信するかを判断するようにしてもよい。例えば、制御部１５は、利用者端末２０からサービス事業者サーバ３０を送信先とする送信データを受信した際に、送信データに含まれる優先度フラグの優先度が高い場合には、宛先にデータを送信し、送信データに含まれる優先度フラグの優先度が低い場合には、サービス事業者サーバ３０へ送信せずに、ストレージ１４に格納するようにしてもよい。これにより、通信装置１０は、例えば、優先度が高いデータはそのまま送信し、優先度が低いデータのみをストレージ１４に格納してトラフィックが少ない時間帯等の適切なタイミングで送信することが可能である。
【００４５】
また、制御部１５は、受信したデータの送信元または送信先に応じて、データをストレージ１４に蓄積するか送信するかを判断するようにしてもよい。例えば、制御部１５は、利用者端末２０からサービス事業者サーバ３０を送信先とする送信データを受信した際に、送信データの送信元または送信先が予め設定された送信元または送信先である場合には、宛先にデータを送信し、予め設定された送信元または送信先でない場合には、サービス事業者サーバ３０へ送信せずに、ストレージ１４に格納するようにしてもよい。これにより、通信装置１０は、例えば、予め設定された送信元または送信先のデータは送信し、それ以外のデータはストレージ１４に格納してトラフィックが少ない時間帯等の適切なタイミングで送信することが可能である。
【００４６】
また、上記の図３の説明では、通信処理部１１、外部Ｉ／Ｆ１２、バッテリ１３、ストレージ１４および制御部１５を全て有する通信装置１０の構成を説明したが、図７に例示するように、既存の通信装置１０ａに、バッテリ１３、ストレージ１４および制御部１５を有する追加部１０ｂを接続することで、上述した通信装置１０と同様の機能を持たせるようにしてもよい。図７は、第１の実施形態に係る通信装置の他の構成例を示すブロック図である。
【００４７】
図７の例では、既存の通信装置１０ａは、通信処理部１１および外部Ｉ／Ｆ１２ａのみを有する。通信処理部１１は、ＳＩＭ等の送受信機である。外部Ｉ／Ｆ１２ａは、ＵＳＢの物理インターフェースである。
【００４８】
また、追加部１０ｂは、外部Ｉ／Ｆ１２ｂ、バッテリ１３、ストレージ１４および制御部１５を有し、外部Ｉ／Ｆ１２ａを介して既存の通信装置１０ａに接続される。外部Ｉ／Ｆ１２ｂは、ＵＳＢやＥｔｈｅｒ等の通信規格の物理インターフェースである。バッテリ１３は、通信装置１０ａに電力を供給する。ストレージ１４は、利用者端末２０またはサービス事業者サーバ３０から受信したデータを記憶する。
【００４９】
制御部１５は、図３の説明と同様に、利用者端末２０からサービス事業者サーバ３０を送信先とする送信データを受信した際に、所定の条件を満たしているか判定し、所定の条件を満たしている場合には、サービス事業者サーバ３０へ送信するように制御し、所定の条件を満たしていない場合には、ストレージ１４に送信データを格納するように制御する。
【００５０】
［第１の実施形態の効果］
第１の実施形態に係る通信装置１０では、サービス事業者サーバ３０との間で行われるデータの送受信を制御する通信処理部１１と、利用者端末２０との間で行われるデータの送受信を制御する外部Ｉ／Ｆ１２と、自装置に電力を供給するバッテリ１３と、受信したデータを記憶するストレージ１４と、利用者端末２０からサービス事業者サーバ３０を送信先とする送信データまたはサービス事業者サーバ３０から利用者端末２０を送信先とする送信データを受信した際に、ストレージ１４に送信データを格納するように制御する制御部１５とを有する。このため、通信装置１０では、利用者端末側の電源環境に関わらず、データの送受信を適切に行うことが可能である。
【００５１】
つまり、通信装置１０は、利用者端末２０の電源の環境に依存しないために、通信端末自体にバッテリ１３およびストレージ１４を装備し、データの送受信を出来るようにする。例えば、従来のＵＳＢ接続タイプやＭ２Ｍルータタイプの通信端末はＳＩＭを装着し通信する機能はあってもストレージやバッテリがないため、利用者端末の電源のＯＮ／ＯＦＦに通信環境を依存していた。
【００５２】
これに対して、通信装置１０は、接続する利用者端末２０の電源の状態に依存することなく、データの送受信を行うことが出来るため、利用者端末の電源のＯＮ／ＯＦＦを考慮することなく、必要なデータの送受信が行える。また、通信装置１０は、利用者端末２０の問題発生時にも影響を受けることなくデータの送受信を行うことが可能である。
【００５３】
また、第１の実施形態に係る通信装置１０では、利用者端末２０からサービス事業者サーバ３０を送信先とする送信データを受信した際に、所定の条件を満たしているか判定し、所定の条件を満たしている場合には、サービス事業者サーバ３０へ送信するように制御し、所定の条件を満たしていない場合には、ストレージ１４に送信データを格納するように制御する制御部とを有する。このため、通信装置１０では、利用者端末側の電源環境に関わらず、データの送受信を適切に行うことが可能である。
【００５４】
また、第１の実施形態に係る通信装置１０では、ストレージ１４に送信データを格納した後、所定の条件を満たした場合には、ストレージ１４から送信データを読み出してサービス事業者サーバ３０へ送信するように制御する。このため、通信装置１０では、ストレージ１４に送信データを格納した後、トラフィックが少ない時間帯等の適切なタイミングで、サービス事業者サーバ３０へデータを送信することが可能である。
【００５５】
また、第１の実施形態に係る通信装置１０では、利用者端末２０からサービス事業者サーバ３０を送信先とする送信データを受信した際に、現時刻が所定の時間帯であるか判定し、現時刻が所定の時間帯である場合には、サービス事業者サーバ３０へ送信するように制御し、現時刻が所定の時間帯でない場合には、ストレージ１４に送信データを格納する。このため、例えば、キャリア側にとっては通信時間帯を限定することで料金を割安で設定した新たなサービスを提供することができ、ユーザ側にとってはより安くニーズにマッチした通信サービスを享受できることが可能である。
【００５６】
（システム構成等）
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００５７】
また、本実施の形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００５８】
なお、本実施例で説明した通信方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【００５９】
上記の実施形態やその変形は、本願が開示する技術に含まれると同様に、特許請求の範囲に記載された発明とその均等の範囲に含まれるものである。
【符号の説明】
【００６０】
１０、１０Ａ、１０Ｂ  通信装置
１１  通信処理部
１２、１２ａ、１２ｂ  外部Ｉ／Ｆ
１３  バッテリ
１４  ストレージ
１５  制御部
２０、２０Ａ、２０Ｂ  利用者端末
３０  サービス事業者サーバ
４０  モバイルＮＷ
５０  インターネット
６０  ＬＡＮ
【図１】
2019128847.tif 000003
【図２】
2019128847.tif 000004
【図３】
2019128847.tif 000005
【図４】
2019128847.tif 000006
【図５】
2019128847.tif 000007
【図６】
2019128847.tif 000008
【図７】
2019128847.tif 000009